(57)【要約】【課題】カーテンウォールに固定したブラケットを、簡易な構造で、カーテンウォールの変位に追従可能にファスナーに取り付ける。【解決手段】カーテンウォール１の取付構造８では、ファスナー３０は、建物１０の躯体１２に固定される。ブラケット２０は、カーテンウォール１に固定されて、ファスナー３０に取り付けられる。連結機構６０は、カーテンウォール１に固定されたブラケット２０とファスナー３０の間に隙間を形成した状態で、ブラケット２０をファスナー３０に変位可能に連結する。【選択図】  図６
2020133365.tif 000002
【特許請求の範囲】
【請求項１】
建物の躯体に固定されたファスナーに取り付けられるブラケットを有するカーテンウォールの取付構造であって、
前記カーテンウォールに固定された前記ブラケットと前記ファスナーの間に隙間を形成した状態で、前記ブラケットを前記ファスナーに変位可能に連結する連結機構を備えたカーテンウォールの取付構造。
【請求項２】
請求項１に記載されたカーテンウォールの取付構造において、
前記連結機構は、前記ブラケットに装着された装着部材と、前記装着部材と前記ファスナーの間に配置されて前記ブラケットと前記ファスナーの間に隙間を形成するスペーサと、を有するカーテンウォールの取付構造。
【請求項３】
請求項２に記載されたカーテンウォールの取付構造において、
前記連結機構は、前記装着部材に螺合して前記装着部材を前記ファスナーに連結するボルトを有し、
前記スペーサは、前記ボルトの軸部の周囲に配置されたカーテンウォールの取付構造。
【請求項４】
請求項３に記載されたカーテンウォールの取付構造において、
前記ボルトの軸部は、前記ファスナーを貫通した状態で、前記ブラケットに形成された挿通孔を挿通して前記装着部材に螺合し、
前記スペーサは、前記挿通孔内に配置されて前記挿通孔から前記ファスナーに向かって突出するカーテンウォールの取付構造。
【請求項５】
請求項３又は４に記載されたカーテンウォールの取付構造において、
前記ボルトの軸部は、前記ファスナーに形成された上下方向に延びる長孔を上下方向に移動可能に挿通して前記装着部材に螺合するカーテンウォールの取付構造。
【発明の詳細な説明】
【技術分野】
【０００１】
本発明は、建物の躯体に固定されたファスナーと、カーテンウォールに固定されたブラケットを有するカーテンウォールの取付構造に関する。
【背景技術】
【０００２】
カーテンウォールは、ブラケットとファスナーにより、建物の躯体に取り付けられて、建物の壁部に設置される。ブラケットは、カーテンウォールに固定されて、建物の躯体に固定されたファスナーに取り付けられる。地震や風等により、カーテンウォールに変位（例えば、層間変位）が生じたときには、ブラケットは、カーテンウォールの変位に追従するように変位する。そこで、従来、滑り材により、ブラケットの変位を容易にすることが行われている（特許文献１参照）。
【０００３】
ところが、滑り材では、ファスナーとの摩擦により摩耗することで、滑り特性に影響が生じる虞がある。これに対し、スライダー等を有するスライド機構により、ブラケットをスライド可能にファスナーに取り付けることも行われている。しかしながら、スライド機構を設けるときには、ブラケットとファスナーの構造が複雑になり、部品のコストも上昇することがある。
【先行技術文献】
【特許文献】
【０００４】
【特許文献１】特開２０００−２９１１９０号公報
【発明の概要】
【発明が解決しようとする課題】
【０００５】
本発明は、前記従来の問題に鑑みなされたもので、その目的は、カーテンウォールに固定したブラケットを、簡易な構造で、カーテンウォールの変位に追従可能にファスナーに取り付けることである。
【課題を解決するための手段】
【０００６】
本発明は、建物の躯体に固定されたファスナーに取り付けられるブラケットを有するカーテンウォールの取付構造であって、前記カーテンウォールに固定された前記ブラケットと前記ファスナーの間に隙間を形成した状態で、前記ブラケットを前記ファスナーに変位可能に連結する連結機構を備えたカーテンウォールの取付構造である。
【発明の効果】
【０００７】
本発明によれば、カーテンウォールに固定したブラケットを、簡易な構造で、カーテンウォールの変位に追従可能にファスナーに取り付けることができる。
【図面の簡単な説明】
【０００８】
【図１】本実施形態のカーテンウォールを示す正面図である。
【図２】本実施形態のカーテンウォールユニットを示す正面図である。
【図３】本実施形態のカーテンウォールの縦断面図である。
【図４】本実施形態のカーテンウォールの横断面図である。
【図５】本実施形態のカーテンウォールの取付構造を示す正面図である。
【図６】本実施形態のカーテンウォールの取付構造を示す側面図である。
【図７】本実施形態のカーテンウォールの取付構造を示す断面図である。
【発明を実施するための形態】
【０００９】
本発明のカーテンウォールの取付構造の一実施形態について、図面を参照して説明する。
本実施形態のカーテンウォールの取付構造では、ファスナーとブラケットにより、カーテンウォールを建物の躯体に取り付ける。カーテンウォールは、建物の壁部に用いられて、建物の室内（屋内）と室外（屋外）の間に設置される。
【００１０】
図１は、本実施形態のカーテンウォール１を示す正面図であり、建物１０の壁部１１に設けられたカーテンウォール１の一部を室外側からみて示している。なお、カーテンウォール１を正面からみたときに、上下となる方向が上下方向であり、左右となる方向が左右方向である。図１では、上下方向は垂直方向であり、左右方向は水平方向である。
図示のように、カーテンウォール１は、建物１０の壁部１１に並べて配置された複数のカーテンウォールユニット２を備えている。カーテンウォールユニット２は、カーテンウォール１の一部を構成するユニットであり、隣り合うカーテンウォールユニット２と互いに組み合わされている。
【００１１】
図２は、本実施形態のカーテンウォールユニット２を示す正面図であり、図１に示すカーテンウォール１の１つのカーテンウォールユニット２を示している。
図示のように、カーテンウォール１の各カーテンウォールユニット２は、２つのパネル体２Ａ、２Ｂ（第１パネル体２Ａ、第２パネル体２Ｂ）と、パネル体２Ａ、２Ｂを囲む枠体３と、枠体３に固定されたブラケット２０を有している。パネル体２Ａ、２Ｂは、方形状のパネル状部材であり、それぞれ枠体３の方形状の開口部３Ａ、３Ｂに配置されている。第１パネル体２Ａは、例えば、合わせガラスであり、第２パネル体２Ｂは、例えば、複数のガラス板を有する複層ガラスである。２つのパネル体２Ａ、２Ｂは、上下方向に並べて設けられて、枠体３に取り付けられている。
【００１２】
枠体３は、開口部３Ａ、３Ｂを形成する開口枠であり、方形状に枠組みされた４つの枠４〜６（上枠４、下枠５、一対の縦枠６）と、無目７を有している。上枠４と下枠５は、それぞれ枠体３の上部と下部で左右方向（横方向）に延びる横枠であり、一対の縦枠６は、枠体３の両側の側部で上下方向（縦方向）に延びる。無目７は、上枠４と下枠５の間で左右方向に延びる区画枠（中間枠）であり、一対の縦枠６の間に架け渡されて、一対の縦枠６に接続されている。ブラケット２０は、一対の縦枠６のそれぞれに固定されて、縦枠６及び枠体３を建物１０の躯体に取り付ける。ここでは、ブラケット２０は、縦枠６の上側部分に固定されて、縦枠６の室内側に設けられている。
【００１３】
４つの枠４〜６により、枠体３の内側に開口部が形成されて、無目７により、枠体３の内側の開口部が上下に区画されている。これにより、２つの開口部３Ａ、３Ｂ（第１開口部３Ａ、第２開口部３Ｂ）が、枠体３内で上側と下側に形成されている。上側の第１パネル体２Ａは、上側の第１開口部３Ａに設けられ、下側の第２パネル体２Ｂは、下側の第２開口部３Ｂに設けられている。建物１０の壁部１１において（図１参照）、複数のカーテンウォールユニット２は、上下方向及び左右方向に並べて設置されている。その結果、カーテンウォール１において、第１パネル体２Ａと第２パネル体２Ｂは、上下方向に交互に配置されている。また、第１パネル体２Ａは、左右方向に並べて配置され、第２パネル体２Ｂは、左右方向に並べて配置されている。
【００１４】
図３は、本実施形態のカーテンウォール１の縦断面図であり、上下方向に並ぶ３つのカーテンウォールユニット２と建物１０を示している。図４は、本実施形態のカーテンウォール１の横断面図であり、左右方向に並ぶ２つのカーテンウォールユニット２の縦枠６側の部分を示している。また、図４では、第１パネル体２Ａの箇所で左右方向に切断したカーテンウォール１を示している。
図示のように、カーテンウォール１に関して室内側、室外側とは、建物１０に設置したときのカーテンウォール１の室内側、室外側である。また、室内外方向は、建物１０に設置したカーテンウォール１を正面からみたときのカーテンウォール１の奥行方向（屋内外方向）である。
【００１５】
建物１０は、躯体１２と、躯体１２に支持された床スラブ１３と、床スラブ１３の下側に設置された吊り天井１４と、躯体１２に取り付けられたカーテンウォール１を備えている。建物１０の躯体１２は、例えば、鉄骨であり、カーテンウォール１の室内側に位置している。カーテンウォール１の各カーテンウォールユニット２は、第１パネル体２Ａの室内側に位置する第３パネル体２Ｃを有している。第３パネル体２Ｃは、例えば、耐火パネルであり、枠体３に取り付けられて、第１パネル体２Ａと建物１０の躯体１２の間に配置されている。
【００１６】
カーテンウォール１は、ファスナー３０に取り付けられるブラケット２０を有しており、ブラケット２０とファスナー３０により、建物１０の躯体１２に取り付けられている。従って、ブラケット２０とファスナー３０は、建物１０の躯体１２に対するカーテンウォール１の取付構造８を構成している。ブラケット２０は、カーテンウォール１（ここでは、カーテンウォールユニット２）に固定され、ファスナー３０は、建物１０の躯体１２に固定されている。ファスナー３０は、ブラケット２０の室内側に位置しており、建物１０の躯体１２から上側に突出している。カーテンウォール１及びカーテンウォールユニット２は、ブラケット２０によりファスナー３０に連結されており、ブラケット２０を介して、ファスナー３０により支持されている。このように、ブラケット２０は、連結材であり、ファスナー３０は、支持材である。
【００１７】
左右方向に隣り合う２つのカーテンウォールユニット２の組み合わせ部分で（図４参照）、２つのカーテンウォールユニット２の縦枠６は、左右方向に隣接して、互いに対向して配置されている。また、２つのカーテンウォールユニット２のブラケット２０は、１つのファスナー３０に取り付けられている。カーテンウォールユニット２の一対の縦枠６のそれぞれで、ブラケット２０がファスナー３０に取り付けられている。縦枠６は、室内側（建物１０の躯体１２側）に位置する室内側部６Ａを有している。ブラケット２０は、固定部材４０により縦枠６の室内側部６Ａに固定され、ファスナー３０は、固定部材４３により建物１０の躯体１２に固定されている。
【００１８】
図５は、本実施形態のカーテンウォール１の取付構造８を示す正面図であり、図４の矢印Ｘ１方向からみたブラケット２０とファスナー３０を示している。図６は、本実施形態のカーテンウォール１の取付構造８を示す側面図であり、図５の矢印Ｘ２方向からみたブラケット２０とファスナー３０を示している。
図示のように、ファスナー３０は、建物１０の躯体１２に固定される板状の固定部３１と、ブラケット２０が取り付けられる板状の取付部３２と、取付部３２に形成された長孔３３と、取付部３２の上端部に設けられた受け部３４を有している。ファスナー３０に取り付けられる２つのブラケット２０に対応して、２つの長孔３３が左右方向に間隔を開けて取付部３２に形成されている。
【００１９】
ファスナー３０の固定部３１は、室内外方向に沿って配置されて、建物１０の躯体１２に載置される。固定部材４３は、躯体１２及び固定部３１を貫通するボルト４４と、ボルト４４に取り付けられたナット４５を有しており、ボルト４４とナット４５により、ファスナー３０の固定部３１を建物１０の躯体１２に固定している。ファスナー３０の取付部３２は、固定部３１から上側に突出して、上下方向に沿って配置されている。また、取付部３２は、ブラケット２０の室内側に配置されて、ブラケット２０と対向している。取付部３２の長孔３３は、上下方向に細長いルーズホールであり、固定部３１と受け部３４の間に形成されている。ファスナー３０の受け部３４は、取付部３２から室内側に突出する突片であり、ファスナー３０の上部に設けられて、ブラケット２０を支持する。
【００２０】
ブラケット２０は、カーテンウォール１に固定される固定部２１と、ファスナー３０と対向する対向部２２と、対向部２２の室外側（カーテンウォール１側）に形成された収容部２３と、対向部２２に形成された挿通孔２４と、ファスナー３０に支持される支持部２５を有している。ブラケット２０の固定部２１は、対向部２２の上側と下側に設けられて、カーテンウォール１（ここでは、縦枠６の室内側部６Ａ）に当接している。固定部材４０は、固定部２１及び縦枠６の室内側部６Ａを貫通するボルト４１と、ボルト４１に取り付けられた裏板４２を有しており、ボルト４１と裏板４２により、ブラケット２０の２つの固定部２１を縦枠６の室内側部６Ａに固定している。
【００２１】
ブラケット２０の対向部２２は、ファスナー３０の取付部３２に向かって室内側に突出する凸部であり、ファスナー３０の取付部３２と対向する対向部２２の対向面は、滑らかに湾曲する凸状の湾曲面（凸曲面）に形成されている。収容部２３は、左右方向に延びる溝部であり、対向部２２と縦枠６の室内側部６Ａの間に位置している。挿通孔２４は、ブラケット２０の収容部２３の室内側（ファスナー３０側）の部分（対向部２２）に形成されている。また、挿通孔２４は、ブラケット２０の対向部２２を室内外方向に貫通して、収容部２３と対向部２２の先端部に開口している。ブラケット２０の支持部２５は、ブラケット２０の上部に設けられており、固定部２１から室内側に突出して、ファスナー３０の受け部３４の上側に配置されている。
【００２２】
ブラケット２０の支持部２５には、調整機構５０が設けられている。調整機構５０は、支持部２５を上下方向に貫通する調整ボルト５１と、支持部２５の下側部に装着された裏板５２を有している。調整ボルト５１は、裏板５２のネジ孔にねじ込まれて、裏板５２を貫通し、ファスナー３０の受け部３４に上側から当接している。調整ボルト５１を回転すると、ネジの作用で、ブラケット２０の支持部２５が上下方向に移動する。調整機構５０により、ブラケット２０及びカーテンウォールユニット２が上下方向に移動して、ブラケット２０及びカーテンウォールユニット２の上下方向の位置が調整される。ブラケット２０の支持部２５は、調整ボルト５１を介して、ファスナー３０の受け部３４に支持されている。
【００２３】
図７は、本実施形態のカーテンウォール１の取付構造８を示す断面図であり、図６に示す取付構造８の一部を切断して示している。
図示のように、カーテンウォール１のブラケット２０は、連結機構６０により、ファスナー３０に連結されて、ファスナー３０の室外側に取り付けられている。連結機構６０は、ブラケット２０に装着された装着部材６１と、装着部材６１の室内側（ファスナー３０側）に位置するスペーサ６２と、装着部材６１のネジ孔にねじ込まれたボルト６３を有している。また、互いの連結に関係するブラケット２０の一部（対向部２２、収容部２３、挿通孔２４等）とファスナー３０の一部（取付部３２、長孔３３等）は、連結機構６０の一部を構成する。
【００２４】
連結機構６０の装着部材６１は、ブラケット２０の収容部２３内に収容される裏板であり、ブラケット２０の収容部２３に装着されて保持されている。また、装着部材６１は、ブラケット２０の対向部２２の室外側（カーテンウォール１側）に配置されて、ブラケット２０の対向部２２の室外側部に当接している。連結機構６０のボルト６３は、連結ボルトであり、装着部材６１に螺合して、装着部材６１をファスナー３０（ここでは、取付部３２）に連結する。ブラケット２０は、ボルト６３と装着部材６１により、ファスナー３０の取付部３２に連結されて取り付けられる。
【００２５】
ボルト６３と装着部材６１は、ブラケット２０をファスナー３０に連結する連結部材である。ボルト６３は、ファスナー３０の室内側からファスナー３０の取付部３２及びブラケット２０の対向部２２を室外側に向かって貫通しており、装着部材６１は、室外側に突出するボルト６３の軸部６４（ネジ部）に取り付けられている。ボルト６３の頭部６５は、ファスナー３０の取付部３２の室内側に位置している。
【００２６】
ボルト６３の軸部６４は、ファスナー３０に形成された上下方向に延びる長孔３３を上下方向に移動可能（変位可能）に挿通して、装着部材６１に螺合している。調整機構５０により、ブラケット２０の上下方向の位置を調整するときに、ボルト６３の軸部６４は、ファスナー３０の長孔３３内で上下方向に移動しつつ、装着部材６１及びブラケット２０とともに上下方向に移動する。また、ブラケット２０をファスナー３０に取り付けた状態で、ファスナー３０の長孔３３は、ボルト６３の軸部６４及びブラケット２０の上下方向の移動（変位）を許容する。このように、連結機構６０は、ブラケット２０を上下方向に変位可能にファスナー３０に連結する。
【００２７】
ブラケット２０の対向部２２と挿通孔２４は、ブラケット２０の収容部２３（装着部材６１）とファスナー３０の取付部３２の間に位置している。ボルト６３の軸部６４は、ファスナー３０の取付部３２を貫通した状態で、ブラケット２０に形成された挿通孔２４を挿通して、装着部材６１に螺合している。連結機構６０のスペーサ６２は、ボルト６３の軸部６４を囲む金属製の筒状部材であり、ファスナー３０の取付部３２の室外側に位置している。ここでは、スペーサ６２は、ステンレス鋼（例えば、ＳＵＳ３０４（ＪＩＳ規格））製のリングであり、ボルト６３の軸部６４の周囲に配置されている。
【００２８】
ボルト６３の軸部６４は、スペーサ６２の貫通孔に挿入されて、スペーサ６２の内側に配置されるとともに、スペーサ６２を室内外方向に貫通する。スペーサ６２は、ブラケット２０の挿通孔２４内に配置されて、挿通孔２４からファスナー３０の取付部３２に向かって突出している。また、スペーサ６２は、装着部材６１とファスナー３０の取付部３２の間に配置されて、ブラケット２０の対向部２２とファスナー３０の取付部３２の間に隙間９を形成する。スペーサ６２が装着部材６１とファスナー３０の取付部３２の間に挟まれた状態で、スペーサ６２の室外側の端部が装着部材６１に当接し、スペーサ６２の室内側の端部がファスナー３０の取付部３２に当接している。
【００２９】
スペーサ６２は、装着部材６１から挿通孔２４を通って挿通孔２４の室内側（ファスナー３０側）の端部２６よりも室内側の位置まで配置されている。また、スペーサ６２は、挿通孔２４の端部２６から室内側に突出して、ファスナー３０の長孔３３の左右の外側で、ファスナー３０の取付部３２に当接している。ブラケット２０の対向部２２は、スペーサ６２により、ファスナー３０の取付部３２から室外側に離隔する位置に配置されている。
【００３０】
連結機構６０は、スペーサ６２により、カーテンウォール１に固定されたブラケット２０とファスナー３０の間に隙間９を形成した状態で、ブラケット２０をファスナー３０に変位可能に連結している。隙間９は、ブラケット２０とファスナー３０の間に形成された何もない空所である。隙間９において、ブラケット２０とファスナー３０は、互いに接触せずに、隙間９の空所を挟んで、直接対向している。隙間９は、ブラケット２０の対向部２２の室内側の先端部（ここでは、挿通孔２４の端部２６の縁部）で最も狭くなり、ブラケット２０の対向部２２の先端部から縁部に向かって徐々に広くなる。隙間９の最も狭い位置での寸法は、スペーサ６２の寸法（挿通孔２４からの突出寸法）に対応する所定寸法（例えば、０．５ｍｍ程度）に設定されている。
【００３１】
カーテンウォール１のカーテンウォールユニット２に変位（例えば、層間変位）が生じたときに、ブラケット２０は、カーテンウォールユニット２の変位に追従するように変位する。その際、隙間９を形成することで、ブラケット２０は、ファスナー３０に接触せずに、カーテンウォールユニット２とともに変位する。従って、ブラケット２０に作用する摩擦（抵抗）が低減し、ブラケット２０がカーテンウォールユニット２の変位に追従して容易に変位する。
【００３２】
このように、本実施形態のカーテンウォール１の取付構造８では、カーテンウォール１に固定したブラケット２０を、簡易な構造で、カーテンウォール１の変位に追従可能にファスナー３０に取り付けることができる。また、変位に伴うブラケット２０の摩耗を抑制することができる。カーテンウォール１のカーテンウォールユニット２に温度変化による伸縮が生じたときにも、摩擦による音の発生を抑制することができる。
【００３３】
装着部材６１とスペーサ６２により、隙間９を簡単な構造で確実に形成することができる。スペーサ６２がファスナー３０に当接することで、連結機構６０とファスナー３０の当接面積及び摩擦を小さくして、ブラケット２０を容易に変位させることができる。スペーサ６２をボルト６３の軸部６４の周囲に配置することで、スペーサ６２を装着部材６１とファスナー３０の間に簡単かつ安定して配置することができる。また、ブラケット２０をファスナー３０に連結するボルト６３の軸部６４の周囲で、スペーサ６２により、隙間９を安定して維持することができる。
【００３４】
スペーサ６２をブラケット２０の挿通孔２４に配置することで、スペーサ６２を装着部材６１とファスナー３０の間に確実に配置でき、挿通孔２４から突出するスペーサ６２により、隙間９を安定して維持することができる。ボルト６３の軸部６４がファスナー３０の長孔３３内で上下方向に移動することで、建物１０の層間変位に伴うカーテンウォール１（カーテンウォールユニット２）の上下動に追従して、ブラケット２０を変位させることができる。金属製のスペーサ６２を用いることで、ファスナー３０に対するスペーサ６２の摩擦を低減して、ブラケット２０を容易に変位させることができ、スペーサ６２の摩耗を抑制することもできる。
【００３５】
なお、ブラケット２０は、枠体３の縦枠６以外の枠に固定してもよく、カーテンウォール１の構造等によっては、カーテンウォール１の枠体以外の箇所に固定してもよい。スペーサ６２は、ＳＵＳ３０４以外のステンレス鋼で形成してもよく、ステンレス鋼以外の材料で形成してもよい。また、スペーサ６２は、筒状以外の形状に形成してもよく、装着部材６１とファスナー３０の間に配置可能な種々の形状に形成される。本発明は、カーテンウォール１及びカーテンウォールユニット２の様々な箇所におけるカーテンウォール１の取付構造８に適用でき、カーテンウォールユニット２を備えていないカーテンウォール１の取付構造８に適用することもできる。
【００３６】
以上のとおり、カーテンウォールの取付構造は、建物の躯体に固定されたファスナーに取り付けられるブラケットを有するカーテンウォールの取付構造であって、
前記カーテンウォールに固定された前記ブラケットと前記ファスナーの間に隙間を形成した状態で、前記ブラケットを前記ファスナーに変位可能に連結する連結機構を備えたカーテンウォールの取付構造である。
カーテンウォールの取付構造によれば、カーテンウォールに固定したブラケットを、簡易な構造で、カーテンウォールの変位に追従可能にファスナーに取り付けることができる。
【００３７】
前記連結機構は、前記ブラケットに装着された装着部材と、前記装着部材と前記ファスナーの間に配置されて前記ブラケットと前記ファスナーの間に隙間を形成するスペーサと、を有する。
装着部材とスペーサにより、ブラケットとファスナーの間の隙間を簡単な構造で確実に形成することができる。
【００３８】
前記連結機構は、前記装着部材に螺合して前記装着部材を前記ファスナーに連結するボルトを有し、
前記スペーサは、前記ボルトの軸部の周囲に配置される。
これにより、スペーサを装着部材とファスナーの間に簡単かつ安定して配置することができる。また、ブラケットをファスナーに連結するボルトの軸部の周囲で、スペーサにより、ブラケットとファスナーの間の隙間を安定して維持することができる。
【００３９】
前記ボルトの軸部は、前記ファスナーを貫通した状態で、前記ブラケットに形成された挿通孔を挿通して前記装着部材に螺合し、
前記スペーサは、前記挿通孔内に配置されて前記挿通孔から前記ファスナーに向かって突出する。
従って、スペーサを装着部材とファスナーの間に確実に配置でき、挿通孔から突出するスペーサにより、ブラケットとファスナーの間の隙間を安定して維持することができる。
【００４０】
前記ボルトの軸部は、前記ファスナーに形成された上下方向に延びる長孔を上下方向に移動可能に挿通して前記装着部材に螺合する。
ボルトの軸部が長孔内で上下方向に移動することで、建物の層間変位に伴うカーテンウォールの上下動に追従して、ブラケットを変位させることができる。
【符号の説明】
【００４１】
１・・・カーテンウォール、２・・・カーテンウォールユニット、２Ａ・・・第１パネル体、２Ｂ・・・第２パネル体、２Ｃ・・・第３パネル体、３・・・枠体、３Ａ・・・第１開口部、３Ｂ・・・第２開口部、４・・・上枠、５・・・下枠、６・・・縦枠、６Ａ・・・室内側部、７・・・無目、８・・・カーテンウォールの取付構造、９・・・隙間、１０・・・建物、１１・・・壁部、１２・・・躯体、１３・・・床スラブ、１４・・・吊り天井、２０・・・ブラケット、２１・・・固定部、２２・・・対向部、２３・・・収容部、２４・・・挿通孔、２５・・・支持部、２６・・・端部、３０・・・ファスナー、３１・・・固定部、３２・・・取付部、３３・・・長孔、３４・・・受け部、４０・・・固定部材、４１・・・ボルト、４２・・・裏板、４３・・・固定部材、４４・・・ボルト、４５・・・ナット、５０・・・調整機構、５１・・・調整ボルト、５２・・・裏板、６０・・・連結機構、６１・・・装着部材、６２・・・スペーサ、６３・・・ボルト、６４・・・軸部、６５・・・頭部。
【図１】
2020133365.tif 000003
【図２】
2020133365.tif 000004
【図３】
2020133365.tif 000005
【図４】
2020133365.tif 000006
【図５】
2020133365.tif 000007
【図６】
2020133365.tif 000008
【図７】
2020133365.tif 000009